(57)【要約】コネクタ（５）は、第１の電気接点と鍵部（６）とを具備し、コネクタ受け（２０）は、第２の電気接点とカバー部材（４０）と鍵溝とロック部材（７０）とを具備し、コネクタ受け（２０）にコネクタ（５）が接続された際、鍵部がロック部材（７０）に当接し、該ロック部材（７０）を押し上げ、ロック部材（７０）によるカバー部材（４０）の固定が解除され、コネクタ（５）の先端面（１５ａｆ）がカバー部材（４０）を前方に押圧することにより、カバー部材（４０）は、第２の位置に移動され、第１の電気接点が第２の電気接点に電気的に接続されることを特徴とする。
2011114771.tif 000002
【特許請求の範囲】
【請求項１】
コネクタと、該コネクタが接続されるコネクタ受けとを具備するコネクタ接続システムであって、
前記コネクタは、
前記コネクタの筐体部の外周面に設けられた第１の電気接点と、
前記コネクタの筐体部の外周面に設けられた鍵部と、
を具備し、
前記コネクタ受けは、
前記コネクタ受けに前記コネクタが接続された際、前記第１の電気接点が電気的に接続される第２の電気接点と、
前記第２の電気接点を覆う第１の位置と前記第２の電気接点を露出させる第２の位置との間で移動自在なカバー部材と、
前記コネクタ受けに前記コネクタが接続された際、前記鍵部が嵌入されることにより、前記コネクタ受けに対する前記コネクタの回動方向の位置を規定する鍵溝と、
前記鍵溝に設けられた、前記カバー部材に係合して該カバー部材を前記第１の位置に固定する係合位置と、前記カバー部材に非係合な非係合位置との間において移動自在な係合部を有する、前記コネクタ受けに前記コネクタが非接続の際、前記カバー部材を前記第１の位置に固定するロック部材と、
を具備し、
前記コネクタ受けに前記コネクタが接続された際、前記鍵部が前記ロック部材に当接し、該ロック部材を押し上げ、前記係合部が前記係合位置から前記非係合位置に移動することによって、前記ロック部材による前記カバー部材の固定が解除され、
前記コネクタの押圧面が前記カバー部材を、前記コネクタの嵌入方向前方に押圧することにより、前記カバー部材は、前記第２の位置に移動され、前記第１の電気接点が前記第２の電気接点に電気的に接続されることを特徴とするコネクタ接続システム。
【請求項２】
前記コネクタ受けに、該コネクタ受けに前記コネクタが非接続の際、前記ロック部材の前記係合部を、付勢により前記係合位置に移動させて、前記カバー部材を前記第１の位置に固定させる第１の付勢部材が設けられていることを特徴とする請求項１に記載のコネクタ接続システム。
【請求項３】
前記コネクタ受けに、該コネクタ受けに前記コネクタが非接続の際、前記カバー部材を前記第１の位置に移動させる第２の付勢部材が設けられていることを特徴とする請求項１または２に記載のコネクタ接続システム。
【請求項４】
前記ロック部材の前記鍵部が当接する部位に、テーパ面が形成されており、
前記コネクタ受けに前記コネクタが接続された際、前記鍵部は、前記テーパ面に当接した状態で該テーパ面に沿って移動することにより、前記ロック部材を押し上げることを特徴とする請求項１〜３のいずれか１項に記載のコネクタ接続システム。
【請求項５】
前記コネクタは、内視鏡の操作部から延出されたユニバーサルコードの延出端に設けられており、前記コネクタ受けは、前記内視鏡に光を供給する光源装置または前記内視鏡の動作制御を行う制御装置に設けられていることを特徴とする請求項１〜４のいずれか１項に記載のコネクタ接続システム。
【請求項６】
請求項５に記載の前記コネクタ受けを具備することを特徴とする光源装置。
【請求項７】
請求項５に記載の前記コネクタが、操作部から延出されたユニバーサルコードの延出端に設けられていることを特徴とする内視鏡。
【発明の詳細な説明】
【技術分野】
【０００１】
本発明は、コネクタと、該コネクタが接続されるコネクタ受けとを具備するコネクタ接続システム、光源装置、内視鏡に関する。
【背景技術】
【０００２】
近年、内視鏡は、医療分野及び工業用分野において広く利用されている。医療分野において用いられる内視鏡は、細長い挿入部を体腔内に挿入することによって、体腔内の臓器を観察したり、必要に応じて内視鏡が具備する処置具の挿通チャンネル内に挿入した処置具を用いて各種処置をしたりすることができる。【０００３】
ここで、内視鏡内に設けられたライトガイドを用いて光源装置から供給された光を体腔内に照射する構成を有する内視鏡においては、ユニバーサルコードの延出端に設けられた内視鏡コネクタにおいて、該内視鏡コネクタを光源装置に設けられたコネクタ受けに接続することによって、内視鏡コネクタに設けられた細長なライドガイドコネクタ（以下、ＬＧコネクタと称す）や送気コネクタ等をコネクタ受けに形成された孔に嵌入させて接続するとともに、接続後、内視鏡コネクタに設けられた電気コネクタを、内視鏡の動作制御を行う既知のビデオプロセッサに対して接続ケーブルを介して電気的に接続して使用する構成が周知である。【０００４】
しかしながら、この構成においては、操作者は、内視鏡を用いる際、光源装置のコネクタ受けに内視鏡コネクタを接続してＬＧコネクタや送気コネクタ等を嵌入接続する作業と、ビデオプロセッサに対して電気コネクタを、接続ケーブルを介して電気的に接続する作業との２つの作業が必要となってしまい、操作者にとって接続作業が大変煩雑なものとなっていた。【０００５】
このような事情に鑑み、日本国特開２００２−３４９１２号公報では、内視鏡コネクタが接続される光源装置のコネクタ受けに、内視鏡コネクタに設けられた電気コネクタの第１の電気接点が電気的に接続される第２の電気接点が設けられた構成が開示されているとともに、この光源装置のコネクタ受けと、該コネクタ受けに接続される内視鏡コネクタとにより構成されたコネクタ接続システムが開示されている。尚、日本国特開２００２−３４９１２号公報に開示された光源装置においては、光源装置とビデオプロセッサとは、別途、接続ケーブルにより電気的に接続されている。【０００６】
このようなコネクタ接続システムの構成によれば、操作者によって、光源装置のコネクタ受けに内視鏡コネクタが接続されれば、コネクタ受けの孔にＬＧコネクタが嵌入されて接続されるばかりか、第１の電気接点と第２の電気接点とが電気的に接続され、接続ケーブルを介して、電気コネクタはビデオプロセッサに対して電気的に接続される。このことから、操作者は、１回の作業で、光源装置のコネクタ受けの孔にＬＧコネクタ等を嵌入して接続する作業と、ビデオプロセッサに対して電気コネクタを電気的に接続する作業とを行うことができる。  
しかしながら、日本国特開２００２−３４９１２号公報に開示されたコネクタ接続システムにおいては、コネクタ受けから内視鏡コネクタが抜去されてしまうと、即ち、コネクタ受けに、内視鏡コネクタが接続されていない状態においては、コネクタ受けから第２の電気接点が露出されてしまうことから、露出された第２の電気接点に、塵埃等の異物が付着しやすいといった問題があった。【０００７】
このような問題に鑑み、コネクタ受けに内視鏡コネクタが非接続状態においては第２の電気接点に保護カバーを被覆し、コネクタ受けに内視鏡コネクタを接続するときのみ、保護カバーを取り外す構成も考えられるが、このような構成においては、保護カバーの脱着が煩雑であるといった問題があった。【０００８】
また、日本国特開２００２−３４９１２号公報に開示されたコネクタ接続システムにおいては、コネクタ受けに、内視鏡コネクタを接続した後における内視鏡コネクタの固定構造が示されていないことから、接続後、内視鏡コネクタが回動してしまうと、第２の電気接点に対する第１の電気接点の接続状態が不良となってしまうといった問題があった。【０００９】
尚、以上の問題は、光源装置のコネクタ受けに内視鏡コネクタを接続する場合に限らず、電気接点を有するコネクタ受けに、電気接点を有するコネクタを接続する構造においては、全て同じである。【００１０】
本発明は、上記問題に鑑みなされたものであり、コネクタ受けに接続後のコネクタの位置決めを簡単に行うことができるとともに、簡単な構成にて、コネクタが非接続状態におけるコネクタ受けの電気接点の保護を行うことができ、また、コネクタ接続の際、コネクタ受けの電気接点を簡単に露出させることができる構成を有するコネクタ接続システムを提供することを目的とする。
【発明の開示】
【課題を解決するための手段】
【００１１】
本発明の一態様におけるコネクタ接続システムは、コネクタと、該コネクタが接続されるコネクタ受けとを具備するコネクタ接続システムであって、前記コネクタは、前記コネクタの筐体部の外周面に設けられた第１の電気接点と、前記コネクタの筐体部の外周面に設けられた鍵部と、を具備し、前記コネクタ受けは、前記コネクタ受けに前記コネクタが接続された際、前記第１の電気接点が電気的に接続される第２の電気接点と、前記第２の電気接点を覆う第１の位置と前記第２の電気接点を露出させる第２の位置との間で移動自在なカバー部材と、前記コネクタ受けに前記コネクタが接続された際、前記鍵部が嵌入されることにより、前記コネクタ受けに対する前記コネクタの回動方向の位置を規定する鍵溝と、前記鍵溝に設けられた、前記カバー部材に係合して該カバー部材を前記第１の位置に固定する係合位置と、前記カバー部材に非係合な非係合位置との間において移動自在な係合部を有する、前記コネクタ受けに前記コネクタが非接続の際、前記カバー部材を前記第１の位置に固定するロック部材と、を具備し、前記コネクタ受けに前記コネクタが接続された際、前記鍵部が前記ロック部材に当接し、該ロック部材を押し上げ、前記係合部が前記係合位置から前記非係合位置に移動することによって、前記ロック部材による前記カバー部材の固定が解除され、前記コネクタの押圧面が前記カバー部材を、前記コネクタの嵌入方向前方に押圧することにより、前記カバー部材は、前記第２の位置に移動され、前記第１の電気接点が前記第２の電気接点に電気的に接続される。【００１２】
また、本発明の一態様における光源装置は、請求項５に記載の前記コネクタ受けを具備する。【００１３】
さらに、本発明の一態様における内視鏡は、請求項５に記載の前記コネクタが、操作部から延出されたユニバーサルコードの延出端に設けられている。
【図面の簡単な説明】
【００１４】
【図１】本実施の形態のコネクタ接続システムを示す部分斜視図
【図２】図１のコネクタ受けに接続される内視鏡コネクタを具備する内視鏡を示す斜視図
【図３】図１の内視鏡コネクタを拡大して示す斜視図
【図４】図１のコネクタ受けの構成を、第２の電気接点にカバー部材が被覆された状態で示す斜視図
【図５】図４のコネクタ受けの第２の電気接点からカバー部材を退避させた状態を示す斜視図
【図６】図４のレセプタクルの構成を拡大して示す斜視図
【図７】図５のレセプタクルの構成を拡大して示す斜視図
【図８】図４〜図７のレセプタクル内に設けられたカバー部材を拡大して示す斜視図
【図９】図６中のIX-IX線に沿うレセプタクルの断面図
【図１０】図７中のX-X線に沿うレセプタクルの断面図
【図１１】図１のコネクタ受けに、内視鏡コネクタが接続される直前の状態を示す部分断面図
【図１２】図１１のコネクタ受けに、内視鏡コネクタが接続され始めた状態を示す部分断面図
【図１３】図１１のコネクタ受けに、内視鏡コネクタが接続完了された状態を示す部分断面図
【発明を実施するための最良の形態】
【００１５】
以下、図面を参照して本発明の実施の形態を説明する。尚、図面は模式的なものであり、各部材の厚みと幅との関係、それぞれの部材の厚みの比率などは現実のものとは異なることに留意すべきであり、図面の相互間においても互いの寸法の関係や比率が異なる部分が含まれていることは勿論である。【００１６】
また、以下、コネクタ受けは、内視鏡のユニバーサルコードの延出端に設けられた内視鏡コネクタが接続される光源装置のコネクタ受けを例に挙げて説明するとともに、コネクタ接続システムは、内視鏡コネクタと光源装置のコネクタ受けとにより構成されるコネクタ接続システムを例に挙げて説明する。【００１７】
図１は、本実施の形態のコネクタ接続システムを示す部分斜視図、図２は、図１のコネクタ受けに接続される内視鏡コネクタを具備する内視鏡を示す斜視図、図３は、図１の内視鏡コネクタを拡大して示す斜視図である。【００１８】
また、図４は、図１のコネクタ受けの構成を、第２の電気接点にカバー部材が被覆された状態で示す斜視図、図５は、図４のコネクタ受けの第２の電気接点からカバー部材を退避させた状態を示す斜視図である。【００１９】
さらに、図６は、図４のレセプタクルの構成を拡大して示す斜視図、図７は、図５のレセプタクルの構成を拡大して示す斜視図、図８は、図４〜図７のレセプタクル内に設けられたカバー部材を拡大して示す斜視図である。【００２０】
また、図９は、図６中のIX-IX線に沿うレセプタクルの断面図、図１０は、図７中のX-X線に沿うレセプタクルの断面図である。【００２１】
図１に示すように、コネクタ接続システム１００は、内視鏡１に光を供給する光源装置５０の前面５０ｆに設けられたコネクタ受け２０と、該コネクタ受け２０に接続自在な内視鏡１の内視鏡コネクタ５とにより主要部が構成されている。【００２２】
尚、内視鏡コネクタ５は、図２に示すように、内視鏡１において、被検体内に挿入される挿入部２の基端側に設けられた操作部３から延出されたユニバーサルコード４の延出端に設けられている。【００２３】
図１に戻って、光源装置５０の例えば上面には、内視鏡１の動作制御を行う制御装置であるビデオプロセッサ６０が設けられている。尚、ビデオプロセッサ６０は、光源装置５０に対して、前面５０ｆ、６０ｆに対向する背面側において、図示しない接続ケーブルを介して電気的に接続されている。【００２４】
また、ビデオプロセッサ６０の前面６０ｆには、コネクタ６１が設けられている。コネクタ６１には、コネクタ受け２０に対しＬＧコネクタと電気コネクタとを別々に接続する従来の内視鏡の内視鏡コネクタが接続された際、内視鏡コネクタに設けられた電気コネクタに対して一端が電気的に接続された接続ケーブルの他端が電気的に接続される。【００２５】
図３に示すように、内視鏡コネクタ５は、例えば樹脂から構成された略円柱状の筐体部１５を有している。筐体部１５における内視鏡コネクタ５のコネクタ受け２０への嵌入方向（以下、単に嵌入方向と称す）Ｋの先端側（以下、単に先端側と称す）に、筐体部１５の他の部位よりも径方向Ｒにおいて外径が小さい、例えば樹脂から構成された第１の嵌入部１５ａが形成されている。【００２６】
また、第１の嵌入部１５ａの先端側には、該第１の嵌入部１５ａよりも径方向Ｒにおいて外径が小さい、例えば樹脂から構成された第２の嵌入部１５ｂが形成されている。【００２７】
筐体部１５の嵌入方向Ｋの先端（以下、単に先端と称す）の外周縁部の一部、即ち筐体部１５の先端と第１の嵌入部１５ａの基端側との間の段差に、山型形状を有する、例えばステンレスから構成されたフランジ部９が設けられている。【００２８】
フランジ部９は、内視鏡コネクタ５がコネクタ受け２０に接続された際、後述するレセプタクルフォルダ２４のボール３０（いずれも図４参照）がフランジ部９の嵌入方向基端側（以下、単に基端側と称す）の傾斜面に、径方向Ｒの内側に後述する板バネ２９（図４参照）によって弾性力を以て押し付けられることにより内視鏡コネクタ５の嵌入方向Ｋの位置が固定される際に用いられる。【００２９】
また、第１の嵌入部１５ａの外周面に、電気コネクタの第１の電気接点を構成する外側接点７が、円周方向に沿って並ぶよう、例えば圧入によって複数設けられており、第２の嵌入部１５ｂの外周面にも、電気コネクタの第１の電気接点を構成する内側接点８が、円周方向に沿って並ぶよう、例えば圧入によって複数設けられている。【００３０】
また、第１の嵌入部１５ａの先端側の外周面において、径方向Ｒに対して対向する部位に、鍵部６がそれぞれ設けられている。【００３１】
各鍵部６は、内視鏡コネクタ５がコネクタ受け２０に接続された際、コネクタ受け２０の後述する鍵溝２１ｍ（図４参照）に嵌入することにより、接続後のコネクタ受け２０に対する内視鏡コネクタ５の回動を防ぐ機能を有している。また、各鍵部６は、鍵溝２１ｍに設けられた後述するロック部材７０（図４参照）を押し上げて、後述するカバー部材４０（図４参照）の固定を解除する機能を有している。尚、鍵部６の個数は、図３には、２個示されているが、２個に限定されないことは勿論である。【００３２】
さらに、第２の嵌入部１５ｂの先端面１５ｂｆから、先端側に、例えば金属から構成されたＬＧコネクタ１０と、例えば金属から構成された送気コネクタ１１とが延出されている。【００３３】
図４〜図７に示すように、コネクタ受け２０は、内視鏡コネクタ５の第１の嵌入部１５ａ及び第２の嵌入部１５ｂが嵌入されるレセプタクル２３と、該レセプタクル２３の外周に設けられたレセプタクルフォルダ２４と、該レセプタクル２３の先端側に位置するＬＧソケット３３と、レセプタクル２３及びＬＧソケット３３に固定された基板２７、２８と、ＬＧソケット３３の先端側に固定された位置決めリング３４と、該位置決めリング３４に固定されたヒートシンク３５とを具備している。【００３４】
図４、図５に示すように、レセプタクル２３の外周に、該レセプタクル２３を保持するレセプタクルフォルダ２４が設けられている。【００３５】
レセプタクルフォルダ２４は、コネクタ受け２０に内視鏡コネクタ５が接続された際、レセプタクル２３がレセプタクルフォルダ２４に対して、外側接点７が後述する外側接点２５に電気的に接続され、内側接点８が後述する内側接点２６に電気的に接続された状態で、径方向Ｒ及び嵌入方向Ｋの前後に独立して可動自在となるよう、レセプタクル２３を保持する。【００３６】
また、図４、図５に示すように、レセプタクルフォルダ２４の外周面には、例えば金属から構成された複数の板バネ２９の一端がそれぞれ固定されており、各他端には、レセプタクルフォルダ２４に形成された孔２４ｈを介してレセプタクルフォルダ２４の径方向Ｒの内側に突出する、例えば金属から構成されたボール３０がそれぞれ固定されている。【００３７】
ボール３０は、内視鏡コネクタ５がコネクタ受け２０に接続された際、上述したフランジ部９の基端側の傾斜面に、径方向Ｒの内側に板バネ２９によって弾性力を以て押し付けられることにより、内視鏡コネクタ５の第１の嵌入部１５ａの押圧面を構成する先端面１５ａｆを、外側レセプタクル２１の径方向Ｒの内側に張り出して位置する面２１ａ（図４参照）に押し付けることにより、内視鏡コネクタ５の嵌入方向Ｋの位置を固定する機能を有している。【００３８】
尚、金属から構成されたボール３０が金属から構成されたフランジ部９に当接することにより、内視鏡コネクタ５に対して、コネクタ受け２０は接地される。【００３９】
また、外側レセプタクル２１、内側レセプタクル２２、レセプタクルフォルダ２４の先端側において、レセプタクルフォルダ２４に対して、例えば樹脂から構成されたＬＧソケット３３が固定されている。【００４０】
また、ＬＧソケット３３の先端側に、コネクタ受け２０に内視鏡コネクタ５が接続された際、ＬＧソケット３３の図示しない孔に嵌入されたＬＧコネクタ１０の先端側を固定する位置決めリング３４が固定されている。さらに、位置決めリング３４の先端側にヒートシンク３５が固定されている。【００４１】
ヒートシンク３５は、ＬＧコネクタ１０の先端に対して、光源装置５０内の光源から光が供給された際、ＬＧコネクタ１０の先端が熱されてしまうのを防ぐ部材である。【００４２】
レセプタクル２３は、図４〜図７に示すように、例えば樹脂から円環状に形成された外側レセプタクル２１と、該外側レセプタクル２１の径方向Ｒの内側に位置する、例えば樹脂から円環状に形成された内側レセプタクル２２とにより主要部が構成されている。また、外側レセプタクル２１に対し内側レセプタクル２２は、ネジ等により固定されている。【００４３】
また、内側レセプタクル２２の嵌入方向の基端（以下、単に基端と称す）は、外側レセプタクル２１の基端よりも嵌入方向Ｋの前方（以下、単に前方と称す）に位置している。【００４４】
外側レセプタクル２１は、コネクタ受け２０に内視鏡コネクタ５が接続された際、第１の嵌入部１５ａが嵌入される部材であり、内側レセプタクル２２は、コネクタ受け２０に内視鏡コネクタ５が接続された際、第２の嵌入部１５ｂが嵌入される部材である。【００４５】
図５、図７に示すように、外側レセプタクル２１の内周面には、第２の電気接点を構成する外側接点２５が円周方向に沿って並ぶよう複数設けられている。外側接点２５は、コネクタ受け２０に内視鏡コネクタ５が接続された際、第１の嵌入部１５ａの外周面に設けられた外側接点７が電気的に接続されるものである。【００４６】
また、外側レセプタクル２１の内周面には、コネクタ受け２０に内視鏡コネクタ５が接続された際、第１の嵌入部１５ａに設けられた鍵部６が嵌入されることにより、コネクタ受け２０に対する内視鏡コネクタ５の回動方向の位置を規定する鍵溝２１ｍが形成されている。尚、外側レセプタクル２１において、鍵溝２１ｍは、鍵部６に個数に応じた数だけ設けられている。【００４７】
また、図５、図７に示すように、内側レセプタクル２２の内周面には、第２の電気接点を構成する内側接点２６が円周方向に沿って並ぶよう複数設けられている。【００４８】
内側接点２６は、コネクタ受け２０に内視鏡コネクタ５が接続された際、第２の嵌入部１５ｂの外周面に設けられた内側接点８が電気的に接続されるものである。【００４９】
また、図５〜図７に示すように、内側レセプタクル２２の先端側において、嵌入方向Ｋに沿って形成された孔２２ｈには、例えば金属から構成された送気口金保護ソケット３２が設けられている。【００５０】
図４、図５に示すように、送気口金保護ソケット３２には、嵌入方向Ｋに沿って２本の孔３２ｈ１、３２ｈ２（３２ｈ２は図示されず）が形成されている。【００５１】
孔３２ｈ１には、コネクタ受け２０に内視鏡コネクタ５が接続された際、内視鏡コネクタ５に設けられた送気コネクタ１１が嵌入される。また、孔３２ｈ２には、ＬＧソケット３３の基端側に設けられた突起部位３３ｔが嵌入されており、突起部位３３ｔに形成された図示しない孔には、コネクタ受け２０に内視鏡コネクタ５が接続された際、内視鏡コネクタ５に設けられたＬＧコネクタ１０が嵌入される。【００５２】
また、図４、図５に示すように、外側レセプタクル２１よりも径方向Ｒの内側であって、内側レセプタクル２２よりも基端側に金属枠３１が固定されている。【００５３】
ここで、図４〜図７に示すように、レセプタクル２３の内部に、コネクタ受け２０に内視鏡コネクタ５が非接続の際、図４、図６に示すように、外側接点２５及び内側接点２６を覆って保護する、例えば樹脂から構成されたカバー部材４０が設けられている。【００５４】
カバー部材４０は、図８に示すように、外側接点２５を覆う２つのＣ字状の外側カバー４１と、内側接点２６を覆う円環状の内側カバー４２と、外側カバー４１と内側カバー４２とを嵌入方向Ｋに沿って連結する複数の連結部材４３とにより主要部が構成されており、内側カバー４２に対して外側カバー４１は、取り外し自在に構成されている。【００５５】
また、カバー部材４０は、図４、図６、図９に示すように、外側接点２５及び内側接点２６を覆う第１の位置と、図５、図８、図１０に示すように、外側接点２５及び内側接点２６を露出させる第２の位置とにおいて、嵌入方向Ｋに進退移動自在に構成されている。【００５６】
尚、カバー部材４０は、図９に示すように、コネクタ受け２０に内視鏡コネクタ５が非接続の際、第２の付勢部材であるコイルバネ７７の嵌入方向Ｋの後方（以下、単に後方と称す）への付勢により、常時、第１の位置に位置している。即ち、コネクタ受け２０を使用しない場合においては、外側接点２５及び内側接点２６が露出してしまうことがない。【００５７】
外側レセプタクル２１の内周面に形成された鍵溝２１ｍに、図４〜図７、図９、図１０に示すように、ロック部材７０が嵌入されている。【００５８】
ロック部材７０は、コネクタ受け２０に内視鏡コネクタ５が非接続の際、第１の位置に位置するカバー部材４０が、第１の位置から移動しないように規制する部材である。【００５９】
ロック部材７０は、図９に示すように、係合位置と非係合位置との間において移動自在な係合部７０ｋが、径方向Ｒの内側に突出するよう、ロック部材７０の先端に設けられている。【００６０】
尚、係合位置は、図９に示すように、係合部７０ｋが第１の位置に位置するカバー部材４０における外側カバー４１の先端面４１ｓに係合して、カバー部材４０を第１の位置に固定する位置であり、非係合位置は、図１０に示すように、係合部７０ｋが外側カバー４１に非係合な位置である。【００６１】
尚、ロック部材７０の基端には、コネクタ受け２０に内視鏡コネクタ５が接続された際、図９、図１０に示すように、鍵溝２１ｍに嵌入される鍵部６が当接するテーパ面７０ｓが形成されている。【００６２】
また、ロック部材７０には、図６、図７、図９、図１０に示すように、一端が外側レセプタクル２１の外周面に固定された第１の付勢部材である板バネ７１の他端が接続されている。【００６３】
板バネ７１は、コネクタ受け２０に内視鏡コネクタ５が非接続の際、図９に示すように、ロック部材７０の係合部７０ｋを、径方向Ｒの内側へ付勢することにより係合位置に移動させて、カバー部材４０を第１の位置に固定する機能を有している。【００６４】
尚、カバー部材４０を用いたロック部材７０の固定は、コネクタ受け２０に内視鏡コネクタ５が接続された際、鍵溝２１ｍに嵌入された鍵部６がテーパ面７０ｓに沿って移動し、ロック部材７０を板バネ７１の付勢に抗して押し上げることにより、係合部７０ｋは、非係合位置へと移動された結果、解除される。【００６５】
ロック部材７０による固定が解除されたカバー部材４０は、コネクタ受け２０に内視鏡コネクタ５が接続された際、内視鏡コネクタ５の押圧面を構成する第１の嵌入部１５ａの先端面１５ａｆ（図３参照）が、カバー部材４０を、コイルバネ７７の付勢に抗して、図１０に示すように、前方に押圧することにより、第２の位置に移動される。【００６６】
次に、本実施の形態の作用について、図１１〜図１３を用いて説明する。図１１は、図１のコネクタ受けに、内視鏡コネクタが接続される直前の状態を示す部分断面図、図１２は、図１１のコネクタ受けに、内視鏡コネクタが接続され始めた状態を示す部分断面図、図１３は、図１１のコネクタ受けに、内視鏡コネクタが接続完了された状態を示す部分断面図である。【００６７】
尚、以下、本実施の形態の作用は、コネクタ受け２０に内視鏡コネクタ５を接続する作用について説明する。【００６８】
コネクタ受け２０に内視鏡コネクタ５を接続する際は、操作者は、先ず、ＬＧコネクタ１０を、ＬＧソケット３３の孔に嵌入させる。【００６９】
次いで、操作者は、内視鏡コネクタ５の鍵部６を、コネクタ受け２１の鍵溝２１ｍに嵌入させる。その結果、図１１に示すように、鍵部６は、ロック部材７０のテーパ面７０ｓに当接する。【００７０】
その後、操作者は、内視鏡コネクタ５を前方に押圧していていくと、鍵部６は、テーパ面７０ｓに沿って移動するとともに、図１２に示すように、ロック部材７０を押し上げる。【００７１】
その結果、図１１に示すように、係合部７０ｋが、カバー部材４０の外側カバー４１の先端面４１ｓに係合することによって係合位置に位置していたロック部材７０は、図１２に示すように、板バネ７１の付勢に抗して非係合位置へと移動する。【００７２】
最後に、操作者は、内視鏡コネクタ５を、さらに前方に押圧していていくと、第１の位置に位置していたカバー部材４０の外側カバー４１の基端面４１ｋに、内視鏡コネクタ５の第１の嵌入部１５ａの先端面１５ａｆが当接し、基端面４１ｋを押圧する。このことにより、図１２に示すように、連結部材４３によって連結された内側カバー４２及び外側カバー４１は、連動して第２の位置に移動するとともに、内視鏡コネクタ５の第２の嵌入部１５ｂが、レセプタクル２３の内側レセプタクル２２内に嵌入され、第１の嵌入部１５ａが、レセプタクル２３の外側レセプタクル２１内に嵌入され、さらに、送気コネクタ１１が孔３２ｈ１内に嵌入される。【００７３】
尚、内側カバー４２及び外側カバー４１の第２の位置への移動、第２の嵌入部１５ｂの内側レセプタクル２２内への嵌入、及び第１の嵌入部１５ａの外側レセプタクル２１への嵌入、送気コネクタ１１の孔３２ｈ１への嵌入は、ほぼ同時に行われる。【００７４】
その結果、図１０に示すように、内側接点２６及び外側接点２５は露出され、内側接点２６及び外側接点２５に、内側接点８及び外側接点７が電気的に接続される。このように、コネクタ受け２０に内視鏡コネクタ５が接続される。【００７５】
尚、この接続状態においては、鍵溝２１ｍに鍵部６が嵌入され、フランジ部９の基端側の傾斜面にボール３０が当接して、傾斜面が前方に押圧されることにより、コネクタ受け２０に対する内視鏡コネクタ５の位置が規定される。【００７６】
また、コネクタ受け２０から内視鏡コネクタ５が抜去された場合には、カバー部材４０は、コイルバネ７７により、第２の位置から第１の位置に自動的に移動されるとともに、ロック部材７０の係合部７０ｋも非係合位置から係合位置へと移動される。このことから、カバー部材４０の外側カバー４１の先端面４１ｓに、図１１に示すように、ロック部材７０の係合部７０ｋが係合されることにより、カバー部材４０は、第１の位置に固定される。即ち、カバー部材４０により、内側接点２６及び外側接点２５は覆われて保護される。【００７７】
このように、本実施の形態においては、レセプタクル２３の内部に、内側接点２６及び外側接点２５を覆って保護するカバー部材４０が設けられていると示した。【００７８】
また、カバー部材４０は、コネクタ受け２０に内視鏡コネクタ５が接続された際、鍵溝２１ｍに鍵部６が嵌入され、鍵部６により、カバー部材４０を内側接点２６及び外側接点２５を覆う第１の位置に固定するロック部材７０の固定が解除されて、内視鏡コネクタ５によって押圧されることにより、第１の位置から内側接点２６及び外側接点２５を露出させる第２の位置に移動すると示した。【００７９】
さらに、カバー部材４０は、コネクタ受け２０から内視鏡コネクタ５が抜去された際、コイルバネ７７により、第２の位置から第１の位置に移動されると示した。【００８０】
このことによれば、コネクタ受け２０に内視鏡コネクタ５が接続されていない場合は、コネクタ受け２０の内側接点２６及び外側接点２５は、コイルバネ７７によって第１の位置に付勢され、ロック部材７０により第１の位置に固定されたカバー部材４０によって覆われて保護されているため、未使用の際、内側接点２６及び外側接点２５に異物が付着されてしまうことがない。【００８１】
また、コネクタ受け２０に、内視鏡コネクタ５を接続すれば、カバー部材４０は、レセプタクル２３内において、内視鏡コネクタ５に押圧されて、内側接点２６及び外側接点２５を露出する第２の位置に移動することから、カバー部材４０を取り外すことなく、簡単に内側接点２６及び外側接点２５を露出させることができる。【００８２】
さらに、本実施の形態においては、コネクタ受けに接続された内視鏡コネクタ５の回動方向の位置は、鍵溝２１ｍに鍵部６が嵌入されることにより規定されると示した。【００８３】
このことによれば、コネクタ受け２０に接続された内視鏡コネクタ５が接続後、回動してしまうことがない。【００８４】
以上から、コネクタ受け２０に接続後の内視鏡コネクタ５の位置決めを簡単に行うことができるとともに、簡単な構成にて、内視鏡コネクタ５が非接続状態におけるコネクタ受け２０の電気接点の保護を行うことができ、また、コネクタ接続の際、コネクタ受け２０の電気接点を簡単に露出させることができる構成を有するコネクタ接続システム１００を提供することができる。【００８５】
尚、本実施の形態においては、コネクタ受けは、内視鏡のユニバーサルコードの延出端に設けられた内視鏡コネクタが接続される光源装置のコネクタ受けを例に挙げて説明するとともに、コネクタ接続システムは、内視鏡コネクタと光源装置のコネクタ受けとにより構成されるコネクタ接続システムを例に挙げて説明したが、これに限らず、内視鏡以外の装置、例えば処置具が具備するコネクタが接続されるコネクタ受けや、該コネクタ受けと、内視鏡以外の装置が具備するコネクタとによる接続システムにも適用可能なことは勿論である。【００８６】
本出願は、２０１０年３月１６日に日本国に出願された特願２０１０−０５９７４５号を優先権主張の基礎として出願するものであり、上記の内容は、本願明細書、請求の範囲、図面に引用されたものである。
【図１】
2011114771.tif 000003
【図２】
2011114771.tif 000004
【図３】
2011114771.tif 000005
【図４】
2011114771.tif 000006
【図５】
2011114771.tif 000007
【図６】
2011114771.tif 000008
【図７】
2011114771.tif 000009
【図８】
2011114771.tif 000010
【図９】
2011114771.tif 000011
【図１０】
2011114771.tif 000012
【図１１】
2011114771.tif 000013
【図１２】
2011114771.tif 000014
【図１３】
2011114771.tif 000015
【手続補正書】
【提出日】平成24年7月31日(2012.7.31)
【手続補正２】
【補正対象書類名】明細書
【補正対象項目名】００１１
【補正方法】変更
【補正の内容】
【００１１】
本発明の一態様におけるコネクタ接続システムは、外周面に第１の電気接点を有するコネクタと、光源装置に設けられ、前記コネクタを収容する内周面を有するコネクタ受けと、前記内周面の前記光源装置の下面側に設けられ、前記コネクタ受けに前記コネクタが接続された際、前記第１の電気接点が電気的に接続される第２の電気接点と、前記第２の電気接点を内周側から覆う第１の位置と前記第２の電気接点を露出させる第２の位置との間で移動自在なカバー部材と、を具備する。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
外周面に第１の電気接点を有するコネクタと、
光源装置に設けられ、前記コネクタを収容する内周面を有するコネクタ受けと、
前記内周面の前記光源装置の下面側に設けられ、前記コネクタ受けに前記コネクタが接続された際、前記第１の電気接点が電気的に接続される第２の電気接点と、
前記第２の電気接点を内周側から覆う第１の位置と前記第２の電気接点を露出させる第２の位置との間で移動自在なカバー部材と、
を具備することを特徴とするコネクタ接続システム。
【請求項２】
前記コネクタの前記外周面に設けられた鍵部と、
前記コネクタ受けに前記コネクタが接続された際、前記鍵部が嵌入されることにより、前記コネクタ受けに対する前記コネクタの回動方向の位置を規定する鍵溝と、
前記鍵溝に設けられた、前記カバー部材に係合して該カバー部材を前記第１の位置に固定する係合位置と、前記カバー部材に非係合な非係合位置との間において移動自在な係合部を有する、前記コネクタ受けに前記コネクタが非接続の際、前記カバー部材を前記第１の位置に固定するロック部材と、
を具備し、
前記コネクタ受けに前記コネクタが接続された際、前記鍵部が前記ロック部材に当接し、該ロック部材を押し上げ、前記係合部が前記係合位置から前記非係合位置に移動することによって、前記ロック部材による前記カバー部材の固定が解除され、
前記コネクタの押圧面が前記カバー部材を、前記コネクタの嵌入方向前方に押圧することにより、前記カバー部材は、前記第２の位置に移動され、前記第１の電気接点が前記第２の電気接点に電気的に接続されることを特徴とする請求項１記載のコネクタ接続システム。
【国際調査報告】
2011114771.tif 000016
2011114771.tif 000017